(57)【要約】      （修正有）【課題】呼吸が容易な空気吸排濾過浄化マスクを提供する。【解決手段】マスク体１０と、吸気装置２０と、排気装置３０と、第１濾過構造４０と、第２濾過構造５０とを備える。マスク体の中間部分に上下に並んで第１開口１１及び第２開口１２が貫設される。吸気装置は、マスク体の前側に設けられ、第１開口を遮蔽し、第１ファン２３を介して空気がマスク体の前側からマスク体の後側に向かって流通する向きで設けられる。排気装置は、マスク体の前側に設けられ、第２開口を遮蔽し、第２ファン３３を介して空気がマスク体の後側からマスク体の前側に向かって流通する向きで設けられる。第１濾過構造は、マスク体の後側に向かって流れる空気を濾過し、第２濾過構造は、マスク体の前側に向かって流れる空気を濾過する。第１開口と第２開口とは上下に並んで配置されることで、使用者の呼吸の容易さを向上する。【選択図】図２
0003228350.tif 000002
【実用新案登録請求の範囲】
【請求項１】
マスク体と、前記マスク体の前側に設けられる吸気装置と、前記マスク体の前側に設けられる排気装置と、第１濾過構造と、第２濾過構造とを備える空気吸排濾過浄化マスクであって、
前記マスク体は、非通気性材料から構成され、前記マスク体の中間部分に第１開口及び第２開口が貫設され、前記第１開口と前記第２開口とは上下に並んで配置され、前記第１開口に第１接合座が設けられ、前記第２開口に第２接合座が設けられ、
かつ前記吸気装置が前記第１開口を遮蔽し、前記吸気装置は、第１ケーシングと、第１前蓋と、第１ファンと、第１制御器と、第１電池とを含み、
前記第１ケーシングは、前記マスク体の前側に設けられ、かつ前記第１ケーシングと前記第１接合座とが螺合され、前記第１前蓋は、前記第１ケーシングの前側に設けられ、かつ前記第１前蓋と前記第１ケーシングとが螺合され、前記第１前蓋に複数個の吸気口が貫設され、前記第１ファンは、前記第１ケーシングの内部に設けられ、前記第１制御器及び前記第１電池は、前記第１前蓋に設けられ、前記第１制御器と前記第１ファンとが連結され、前記第１電池と前記第１制御器とが連結され、前記第１制御器が前記第１ファンを運転させるように制御し、前記第１ファンは、当該吸気口を通じて空気を吸入すると共に、前記第１開口に向かって空気を送り込み、
かつ前記排気装置が前記第２開口を遮蔽し、前記排気装置は、第２ケーシングと、第２前蓋と、第２ファンと、第２制御器と、第２電池とを含み、
前記第２ケーシングは、前記マスク体の前側に設けられ、かつ前記第２ケーシングと前記第２接合座とが螺合され、前記第２前蓋は、前記第２ケーシングの前側に設けられ、かつ前記第２前蓋と前記第２ケーシングとが螺合され、前記第２前蓋に複数個の排気口が貫設され、前記第２ファンは、前記第２ケーシングの内部に設けられ、前記第２制御器及び前記第２電池は、前記第２前蓋に設けられ、前記第２制御器と前記第２ファンとが連結され、前記第２電池と前記第２制御器とが連結され、前記第２制御器が前記第２ファンを運転させるように制御し、前記第２ファンは、前記第２開口を通じて空気を吸入すると共に、当該排気口に向かって空気を排出し、
前記第１濾過構造は、前記第１ファンの前側方向箇所に設けられ、
前記第２濾過構造は、前記第２ファンの後側方向箇所に設けられることを特徴とする、空気吸排濾過浄化マスク。
【請求項２】
前記第１濾過構造は、環境からの飛沫及び微粒子の拡散を防止するための第１バリア層を含み、前記第２濾過構造は、使用者からの飛沫及び微粒子の拡散を防止するための第２バリア層を含むことを特徴とする、請求項１に記載の空気吸排濾過浄化マスク。
【請求項３】
前記第１濾過構造は、さらに前記第１バリア層の後側に設けられる第１芳香層を含み、前記第１芳香層は、フィトンチッドを発散可能な精油を含有し、前記第２濾過構造は、さらに前記第２バリア層の前側に設けられる第２芳香層を含み、前記第２芳香層は、フィトンチッドを発散可能な精油を含有することを特徴とする、請求項２に記載の空気吸排濾過浄化マスク。
【請求項４】
前記第１濾過構造は、さらに前記第１バリア層と前記第１芳香層との間に位置する第１活性炭層を含み、前記第２濾過構造は、さらに前記第２バリア層と前記第２芳香層との間に位置する第２活性炭層を含むことを特徴とする、請求項３に記載の空気吸排濾過浄化マスク。
【請求項５】
前記第１バリア層、前記第１活性炭層及び前記第１芳香層が磁気吸着結合され、前記第２バリア層、前記第２活性炭層及び前記第２芳香層が磁気吸着結合されることを特徴とする、請求項４に記載の空気吸排濾過浄化マスク。
【請求項６】
前記第１バリア層、前記第１活性炭層及び前記第１芳香層にそれぞれ環状の第１磁気吸着部材を設けることにより、前記第１バリア層、前記第１活性炭層及び前記第１芳香層を磁気吸着結合させ、前記第２バリア層、前記第２活性炭層及び前記第２芳香層にそれぞれ環状の第２磁気吸着部材を設けることにより、前記第２バリア層、前記第２活性炭層及び前記第２芳香層を磁気吸着結合させることを特徴とする、請求項５に記載の空気吸排濾過浄化マスク。
【請求項７】
さらに弾性を持つ掛けバンドと、第１係止片と、第２係止片とを有し、前記掛けバンドの先端・末尾が繋止され、かつ前記掛けバンドは前記第１係止片に挿通されて第１ループ部が形成され、前記第１ループ部を前記第２ケーシングに外嵌し、かつ前記第２前蓋は、前記第１ループ部に対して止着が成され、前記掛けバンドは前記第２係止片に挿通され、前記掛けバンドは、前記第１係止片と前記第２係止片との間に調節可能な第２ループ部が形成されることにより、前記第２ループ部は使用者の頭部の周りに掛けられ、
前記第１係止片に２つの第１穿溝及び２つの第１嵌着溝が貫設され、各前記第１穿溝は、それぞれ前記第１係止片の両側に近接し、各前記第１嵌着溝は、それぞれ各前記第１穿溝に連通し、かつ前記第１嵌着溝の幅は前記第１穿溝の幅よりも小さく、前記掛けバンドが挿通されて前記第１嵌着溝に嵌設され、
前記第２係止片に２つの第２穿溝及び２つの第２嵌着溝が貫設され、各前記第２穿溝は、それぞれ前記第２係止片の両側に近接し、各前記第２嵌着溝は、それぞれ各前記第２穿溝に連通し、かつ前記第２嵌着溝の幅は前記第２穿溝の幅よりも小さく、前記掛けバンドが挿通されて前記第２嵌着溝に嵌設されることを特徴とする、請求項１に記載の空気吸排濾過浄化マスク。
【請求項８】
さらに２つの保護蓋を含み、前記吸気装置及び前記排気装置をそれぞれ各前記保護蓋で外嵌することで、それぞれ当該吸気口及び当該排気口を閉鎖することを特徴とする、請求項１〜請求項７のいずれか１項に記載の空気吸排濾過浄化マスク。
【考案の詳細な説明】
【技術分野】
【０００１】
本考案は、マスクに係り、特に、空気吸排濾過浄化マスクの斬新な構造形態の開示に関するものである。
【背景技術】
【０００２】
空気中に漂っている浮遊微粒子、ウイルスや細菌などの各種の微粒子が、気道を通って人体へ侵入しやすくなり、アレルギー、ぜんそくまたは各種の病気を誘発するおそれがあり、かかる微粒子による害を低減するために、マスクを装着することは、一種の予防対策として有効かつ簡単に実施できる。
【０００３】
従来のマスクは、主にマスク体と、２本の固定紐とから構成され、各前記固定紐は、それぞれ前記マスク体の両側に設けられ、従来のマスクを装着したときに、前記マスク体は、使用者の口・鼻部位を覆い、各前記固定紐をそれぞれ使用者の両耳に引っ掛けて、前記マスク体を利用して空気中の微粒子を遮断し、前記微粒子が使用者の気道を通って人体へ侵入するのを回避する。
【０００４】
前記マスク体による微粒子の濾過効果は、前記マスク体の構造緻密性によって決まり、前記マスク体の緻密性が高ければ高いほど、空気通過のための孔隙が小さくなり、より小さい粒径の微粒子を濾過することができるが、かえって前記マスク体の通気性を低下させてしまい、使用者は、呼吸の息苦しさや暑苦しさなどの不快感を感じやすくなり、適当な通気性を確保する要求に基づいて、前記マスク体の構造緻密度に限界があるため、前記マスク体による微粒子の濾過効果に相対的に影響する問題が生じる。
【０００５】
他方、別の種の従来のマスクは、主にマスク体に２つの通気口が設けられ、各前記通気口は、左右に並んで配置されると共に、各前記通気口にそれぞれ濾材が配置され、空気が各前記通気口を通過して流動し、前記濾材を利用して各前記通気口に通過する空気を濾過し、前記マスク体は、通気性のニーズを考慮する必要がなく、前記マスク体は、微粒子をより有効に遮断することができ、使用環境の要望について、相応の材料で構成される前記濾材を設置することで、このタイプのマスクは、各種の異なる使用ニーズを満足することができる。
【０００６】
ただ、各前記通気口は、左右に並んで配置されることで、使用者の口・鼻と各前記通気口との間に若干の距離が存在するので、前記通気口と口・鼻との間の空気の流動経路に空気流の向き変化現象が形成され、使用者に呼吸の息苦しさが生じやすいという問題がある。
【考案の概要】
【考案が解決しようとする課題】
【０００７】
本考案は、空気吸排濾過浄化マスクを提供することを主な目的とし、その解決しようとする技術的課題は、如何にして空気中の微粒子を濾過浄化することができると共に、呼吸の容易さ（順調さ）を向上させることができ、より理想的で実用性のあるオリジナルな空気吸排濾過浄化マスクを研究開発するかを目標として革新突破を思案することである。
【課題を解決するための手段】
【０００８】
前述の目的に基づいて、本考案は、空気吸排濾過浄化マスクを提供し、それはマスク体と、前記マスク体の前側に設けられる吸気装置と、前記マスク体の前側に設けられる排気装置と、第１濾過構造と、第２濾過構造とを備え、
前記マスク体は、非通気性材料から構成され、前記マスク体の中間部分に第１開口及び第２開口が貫設され、前記第１開口と前記第２開口とは上下に並んで配置され、前記マスク体は、前記第１開口に第１接合座が設けられ、前記マスク体は、前記第２開口に第２接合座が設けられ、
かつ前記吸気装置が前記第１開口を遮蔽し、前記吸気装置は、第１ケーシングと、第１前蓋と、第１ファンと、第１制御器と、第１電池とを含み、その内、前記第１ケーシングは、前記マスク体の前側に設けられ、かつ前記第１ケーシングと前記第１接合座とが螺合され、前記第１前蓋は、前記第１ケーシングの前側に設けられ、かつ前記第１前蓋と前記第１ケーシングとが螺合され、前記第１前蓋に複数個の吸気口が貫設され、前記第１ファンは、前記第１ケーシングの内部に設けられ、前記第１制御器及び前記第１電池は、前記第１前蓋に設けられ、前記第１制御器と前記第１ファンとが連結され、前記第１電池と前記第１制御器とが連結され、前記第１制御器が前記第１ファンを運転させるように制御し、前記第１ファンは、当該吸気口を通じて空気を吸入すると共に、前記第１開口に向かって空気を送り込み、
かつ前記排気装置が前記第２開口を遮蔽し、前記排気装置は、第２ケーシングと、第２前蓋と、第２ファンと、第２制御器と、第２電池とを含み、その内、前記第２ケーシングは、前記マスク体の前側に設けられ、かつ前記第２ケーシングと前記第２接合座とが螺合され、前記第２前蓋は、前記第２ケーシングの前側に設けられ、かつ前記第２前蓋と前記第２ケーシングとが螺合され、前記第２前蓋に複数個の排気口が貫設され、前記第２ファンは、前記第２ケーシングの内部に設けられ、前記第２制御器及び前記第２電池は、前記第２前蓋に設けられ、前記第２制御器と前記第２ファンとが連結され、前記第２電池と前記第２制御器とが連結され、前記第２制御器が前記第２ファンを運転させるように制御し、前記第２ファンは、前記第２開口を通じて空気を吸入すると共に、当該排気口に向かって空気を排出し、
前記第１濾過構造は、前記第１ファンの前側方向箇所に設けられ、
前記第２濾過構造は、前記第２ファンの後側方向箇所に設けられる。
【考案の効果】
【０００９】
このような斬新な構造形態と技術的特徴によれば、本考案は、使用者の呼吸の容易さを向上させることができる。
【図面の簡単な説明】
【００１０】
【図１】本考案の実施形態１の斜視図である。
【図２】本考案の実施形態１の分解斜視模式図である。
【図３】本考案の実施形態１の吸気装置部分の断面図である。
【図４】本考案の実施形態１の排気装置部分の断面図である。
【図５】図１の第１係止片の一部拡大図である。
【図６】図１の第２係止片の一部拡大図である。
【図７】本考案の実施形態１の使用状態模式図である。
【図８】本考案の実施形態１の吸気装置及び排気装置をマスク体から取り外した状態の斜視模式図である。
【図９】本考案の実施形態２の一部斜視模式図である。
【考案を実施するための形態】
【００１１】
図１〜図９を参照し、これらの図に示すのは、本考案の空気吸排濾過浄化マスクの実施形態だが、これらの実施形態は説明のみに用いられるもので、実用新案登録請求の際、それらの構造に制限されないものとする。
【００１２】
図１〜図８に示すように、かかる空気吸排濾過浄化マスクの実施形態１は、マスク体１０と、吸気装置２０と、排気装置３０と、第１濾過構造４０と、第２濾過構造５０とを備え、その内、前記マスク体１０は、非通気性材料から構成され、前記マスク体１０の中間部分に第１開口１１及び第２開口１２が貫設され、前記第１開口１１と前記第２開口１２とは上下に並んで配置され、前記マスク体１０は、前記第１開口１１に第１接合座１３が設けられ、前記マスク体１０は、前記第２開口１２に第２接合座１４が設けられ、前記吸気装置２０は、前記マスク体１０の前側に設けられ、かつ前記吸気装置２０が前記第１開口１１を遮蔽することで、空気を前記マスク体１０の前側から前記吸気装置２０を通じて前記マスク体１０の後側に向かって流通させ、前記排気装置３０は、前記マスク体１０の前側に設けられ、かつ前記排気装置３０が前記第２開口１２を遮蔽することで、空気を前記マスク体１０の後側から前記排気装置３０を通じて前記マスク体１０の前側に向かって流通させる。
【００１３】
前記吸気装置２０は、第１ケーシング２１と、第１前蓋２２と、第１ファン２３と、第１制御器２４と、第１電池２５とを含み、その内、前記第１ケーシング２１は、前記マスク体１０の前側に設けられ、かつ前記第１ケーシング２１と前記第１接合座１３とが螺合されることで、前記吸気装置２０と前記第１接合座１３との分離を容易にし、前記吸気装置２０をメンテナンスまたは取替えすることができ、前記第１前蓋２２は、前記第１ケーシング２１の前側に設けられ、かつ前記第１前蓋２２と前記第１ケーシング２１とが螺合され、前記第１前蓋２２に複数個の吸気口２２２が貫設され、前記第１ファン２３は、前記第１ケーシング２１の内部に設けられ、前記第１制御器２４及び前記第１電池２５は、前記第１前蓋２２に設けられ、前記第１制御器２４は電子回路構成であり、前記第１制御器２４と前記第１ファン２３とが連結され、前記第１電池２５と前記第１制御器２４とが連結され、前記第１電池２５は、前記第１ファン２３の運転に要する電力を供給し、前記第１制御器２４が前記第１ファン２３を運転させるように制御することで、前記第１ファン２３は、当該吸気口２２２を通じて前記マスク体１０の前側の空気を吸入することができると共に、前記第１開口１１に向かって空気を送り込むことができる。
【００１４】
前記排気装置３０は、第２ケーシング３１と、第２前蓋３２と、第２ファン３３と、第２制御器３４と、第２電池３５とを含み、その内、前記第２ケーシング３１は、前記マスク体１０の前側に設けられ、かつ前記第２ケーシング３１と前記第２接合座１４とが螺合されることで、前記排気装置３０と前記第２接合座１４との分離を容易にし、前記排気装置３０をメンテナンスまたは取替えすることができ、前記第２前蓋３２は、前記第２ケーシング３１の前側に設けられ、かつ前記第２前蓋３２と前記第２ケーシング３１とが螺合され、前記第２前蓋３２に複数個の排気口３２２が貫設され、前記第２ファン３３は、前記第２ケーシング３１の内部に設けられ、前記第２制御器３４及び前記第２電池３５は、前記第２前蓋３２に設けられ、前記第２制御器３４は電子回路構成であり、前記第２制御器３４と前記第２ファン３３とが連結され、前記第２電池３５と前記第２制御器３４とが連結され、前記第２電池３５は、前記第２ファン３３の運転に要する電気エネルギーを供給し、前記第２制御器３４が前記第２ファン３３を運転させるように制御することで、前記第２ファン３３は、前記第２開口１２を通じて前記マスク体１０の後側の空気を吸入すると共に、当該排気口３２２に向かって空気を排出することができる。
【００１５】
前記第１濾過構造４０は、前記第１ファン２３の前側方向箇所に設けられることにより、前記マスク体１０の後側に向かって流れる空気を濾過し、前記第２濾過構造５０は、前記第２ファン３３の後側方向箇所に設けられることにより、前記マスク体１０の前側に向かって流れる空気を濾過する。
【００１６】
上記の構造組立形態と技術的特徴により、本考案の使用作動状況について以下のように説明する。使用者９０の鼻部９２及び口部９４を覆う前記マスク体１０には、前記第１開口１１と前記第２開口１２とが上下に並んで配置されるので、前記鼻部９２に対して前記第１開口１１を対向させ、前記口部９４に対して前記第２開口１２を対向させ、前記吸気装置２０及び前記排気装置３０をそれぞれ運転させ、前記吸気装置２０によって外部の空気を引き込むと共に、外部の空気を前記鼻部９２に向かって流通させ、前記排気装置３０によって前記口部９４から吐き出す空気を吸い込んで外部に向かって放出し、前記第１開口１１と前記鼻部９２との間の空気の流動経路、及び前記第２開口１２と前記口部９４との間の空気の流動経路を短くし、かつ空気流の向き変化現象をなくして、使用者９０の呼吸の容易さを向上させることができる。
【００１７】
前記第１濾過構造４０は、前記第１ファン２３の前側方向箇所に設けられ、外部の空気に浮遊する各種の微粒子が前記第１濾過構造４０により遮断されて、前記第１ファン２３への微粒子の付着を回避でき、前記第２濾過構造５０は、前記第２ファン３３の後側方向箇所に設けられ、前記使用者９０から吐き出す空気に浮遊する微粒子が前記第２濾過構造５０により遮断されて、前記第２ファン３３への微粒子の付着を回避できる。さらに、前記第１ケーシング２１と前記第１前蓋２２との螺合関係を回転解除すれば、前記第１濾過構造４０及び前記第１電池２５を交換することができ、前記第２ケーシング３１と前記第２接合座１４との螺合関係を回転解除すれば、前記第２濾過構造５０を交換することができ、前記第２ケーシング３１と前記第２前蓋３２との螺合関係を解除すれば、前記第２電池３５を交換することができる。
【００１８】
前記第１濾過構造４０は、第１バリア層４１と、第１活性炭層４２と、第１芳香層４３とを含み、その内、前記第１芳香層４３は、前記第１バリア層４１の後側に設けられ、かつ前記第１活性炭層４２は、前記第１バリア層４１と前記第１芳香層４３との間に位置し、前記第１バリア層４１、前記第１活性炭層４２及び前記第１芳香層４３にそれぞれ環状の第１磁気吸着部材４４を設けることにより、前記第１バリア層４１、前記第１活性炭層４２及び前記第１芳香層４３を磁気吸着結合させる。
【００１９】
前記第１バリア層４１は、環境からの飛沫及び微粒子の拡散を防止するために用いられ、前記第１活性炭層４２は、さらに前記第１バリア層４１で遮断不能な微粒子を吸い付けるために用いられ、前記第１芳香層４３は、フィトンチッドを発散可能な精油を含有し、これに基づいて前記第１濾過構造４０は、外部の空気に浮遊する飛沫及び微粒子を濾過できると共に、空気に人の気持ちを良くする芳香を漂わせて前記鼻部９２に流れ込み、マスク装着の快適感を高めることができる。
【００２０】
前記第２濾過構造５０は、第２バリア層５１と、第２活性炭層５２と、第２芳香層５３とを含み、その内、前記第２芳香層５３は、前記第２バリア層５１の前側に設けられ、かつ前記第２活性炭層５２は、前記第２バリア層５１と前記第２芳香層５３との間に位置し、前記第２バリア層５１、前記第２活性炭層５２及び前記第２芳香層５３にそれぞれ環状の第２磁気吸着部材５４を設けることにより、前記第２バリア層５１、前記第２活性炭層５２及び前記第２芳香層５３を磁気吸着結合させる。
【００２１】
前記第２バリア層５１は、前記使用者９０からの飛沫及び微粒子の拡散を防止するために用いられ、前記第２活性炭層５２は、さらに前記第２バリア層５１で遮断不能な微粒子を吸い付けるために用いられ、前記第２芳香層５３は、フィトンチッドを発散可能な精油を含有し、これに基づいて前記第２濾過構造５０は、前記使用者９０から吐き出す飛沫及び微粒子を濾過できると共に、前記使用者９０から吐き出す空気に人の気持ちを良くする芳香を漂わせて外向きに流出させる。
【００２２】
本例では、さらに弾性を持つ掛けバンド６０と、第１係止片７２と、第２係止片７４とを有し、その内、前記掛けバンド６０の先端・末尾が繋止され、かつ前記掛けバンド６０は前記第１係止片７２に挿通されて第１ループ部６２が形成され、前記第１ループ部６２を前記第２ケーシング３１に外嵌し、かつ前記第２前蓋３２は、前記第１ループ部６２に対して止着が成され、前記掛けバンド６０は前記第２係止片７４に挿通され、前記掛けバンド６０は、前記第１係止片７２と前記第２係止片７４との間に調節可能な第２ループ部６４が形成されることにより、前記第２ループ部６４は前記使用者９０の頭部９６の周りに掛けられる。
【００２３】
図５に示すように、前記第１係止片７２に２つの第１穿溝７２２及び２つの第１嵌着溝７２４が貫設され、各前記第１穿溝７２２は、それぞれ前記第１係止片７２の両側に近接し、各前記第１嵌着溝７２４は、それぞれ各前記第１穿溝７２２に連通し、かつ前記第１嵌着溝７２４の幅は前記第１穿溝７２２の幅よりも小さく、前記掛けバンド６０が第１穿溝７２２の後側方向に挿通されて前記第１嵌着溝７２４に摺嵌されることで、前記掛けバンド６０を挿通して前記第１嵌着溝７２４に嵌設することができる。また、図６に示すように、前記第２係止片７４に２つの第２穿溝７４２及び２つの第２嵌着溝７４４が貫設され、各前記第２穿溝７４２は、それぞれ前記第２係止片７４の両側に近接し、各前記第２嵌着溝７４４は、それぞれ各前記第２穿溝７４２に連通し、かつ前記第２嵌着溝７４４の幅は前記第２穿溝７４２の幅よりも小さく、前記掛けバンド６０が第２穿溝７４２の後側方向に挿通されて前記第２嵌着溝７４４に摺嵌されることで、前記掛けバンド６０を挿通して前記第２嵌着溝７４４に嵌設することができる。
【００２４】
前記マスク体１０は、主に被覆部１５と、接顔部１６とから構成され、前記被覆部１５が硬質のケーシングであるので、前記被覆部１５と前記使用者９０の顔部９８との間に空気を流動可能にするための空間が形成され、前記接顔部１６は、弾性を持つ軟質の環状体であり、前記接顔部１６が前記被覆部１５の後側周縁に設けられることにより、前記接顔部１６を前記使用者９０の前記顔部９８にフィットさせることができる。
【００２５】
前記第１制御器２４には、前記第１ファン２３を運転させるように操作制御を行う第１押しボタン２４２が設けられ、前記第２制御器３４には、前記第２ファン３３を運転させるように操作制御を行う第２押しボタン３４２が設けられる。前記第１制御器２４には、充電ケーブル９１と接続するために用いられる第１挿通溝２４４が設けられることで、前記第１制御器２４を外部電源（図中未表示）と接続させて、前記第１電池２５の充電を可能にし、前記第２制御器３４には、別の充電ケーブル（図中未表示）と接続するために用いられる第２挿通溝３４４が設けられることで、前記第２制御器３４を前記外部電源と接続させて、前記第２電池３５の充電を可能にする。
【００２６】
図３、図４及び図８に示すように、前記吸気装置２０及び前記排気装置３０は、それぞれ前記マスク体１０から取り外すことができ、前記吸気装置２０及び前記排気装置３０のメンテナンスを容易に行うことができると共に、前記充電ケーブル９１を利用して前記第１挿通溝２４４に接続することができ、前記外部電源（図中未表示）から前記第１電池２５に対して充電させ、前記第２挿通溝３４４も同様に充電ケーブルと接続するように提供されるに従って、前記第２電池３５に対して充電させ、かつ前記マスク体１０から前記吸気装置２０及び前記排気装置３０を取り外した後、前記マスク体１０の洗濯・滅菌と洗浄を行うことができる。
【００２７】
図９に示すように、実施形態２は、主に前述の実施形態１に基づく構成であり、さらに２つの保護蓋８０を含み、その内、前記吸気装置２０及び前記排気装置３０をそれぞれ各前記保護蓋８０で外嵌することで、それぞれ当該吸気口２２２及び当該排気口３２２を閉鎖する。マスクの保管時は、前記保護蓋８０の設置により、外界の異物が当該吸気口２２２及び当該排気口３２２へ侵入するのを回避できる。本例において、前記保護蓋８０は、透明材料を選択して作製されるものである。
【符号の説明】
【００２８】
１０：マスク体
１１：第１開口
１２：第２開口
１３：第１接合座
１４：第２接合座
１５：被覆部
１６：接顔部
２０：吸気装置
２１：第１ケーシング
２２：第１前蓋
２２２：吸気口
２３：第１ファン
２４：第１制御器
２４２：第１押しボタン
２４４：第１挿通溝
２５：第１電池
３０：排気装置
３１：第２ケーシング
３２：第２前蓋
３２２：排気口
３３：第２ファン
３４：第２制御器
３４２：第２押しボタン
３４４：第２挿通溝
３５：第２電池
４０：第１濾過構造
４１：第１バリア層
４２：第１活性炭層
４３：第１芳香層
４４：第１磁気吸着部材
５０：第２濾過構造
５１：第２バリア層
５２：第２活性炭層
５３：第２芳香層
５４：第２磁気吸着部材
６０：掛けバンド
６２：第１ループ部
６４：第２ループ部
７２：第１係止片
７２２：第１穿溝
７２４：第１嵌着溝
７４：第２係止片
７４２：第２穿溝
７４４：第２嵌着溝
８０：保護蓋
９０：使用者
９１：充電ケーブル
９２：鼻部
９４：口部
９６：頭部
９８：顔部
５：第１係止片の一部拡大図を図５に示す。
６：第２係止片の一部拡大図を図６に示す。
【図１】
0003228350.tif 000003
【図２】
0003228350.tif 000004
【図３】
0003228350.tif 000005
【図４】
0003228350.tif 000006
【図５】
0003228350.tif 000007
【図６】
0003228350.tif 000008
【図７】
0003228350.tif 000009
【図８】
0003228350.tif 000010
【図９】
0003228350.tif 000011